(57)【要約】【課題】簡単な装置で、トラフ内に充填された砂を確実に抜き取り、除去できるトラフ内の砂除去装置及び当該装置を用いた砂除去方法を提供する。【解決手段】空気吸引ノズルとして、電力ケーブル１２が収納されたトラフ１０の、前記電力ケーブル１２の上部のトラフ１０の断面よりやや小さい断面を有する枠体から成る先端冶具１を設け、当該先端冶具１をバキュームホース２の先端に取り付け、当該先端冶具１とバキュームホース２の取付け箇所の側面に押込みロッド３の先端を固定し、前記先端冶具１は、略箱型で、前面が開口し、背面に設けた吸引口７が前記バキュームホース２の一端と連結され、上板１ｂの先端より下板１ａの先端が前方に突出し、かつ、下板１ａの先端が平面視山形の先端刃８に形成され、前記吸引口７のほぼ真ん中で、先端冶具１の内部を二つに分けるガイド隔壁９が前後方向に設けられた。【選択図】図９
2020022227.tif 000002
【特許請求の範囲】
【請求項１】
空気吸引ノズルとして、電力ケーブルが１本又は複数本収納されたトラフの、前記電力ケーブルの上部のトラフの断面よりやや小さい断面を有する枠体から成る先端冶具を設け、当該先端冶具をバキュームホースの先端に取り付け、
当該先端冶具とバキュームホースの取付け箇所のバキュームホースの側面に押込みロッドの先端を固定し、
前記先端冶具は、略箱型で、前面が開口し、背面に設けた吸引口が前記バキュームホースの一端と連結され、上板の先端より下板の先端が前方に突出し、かつ、下板の先端が平面視山形の先端刃に形成され、
前記吸引口のほぼ真ん中で、先端冶具の内部を二つに分けるガイド隔壁が前後方向に設けられたことを特徴とする、空気吸引ノズルを用いたトラフ内の砂除去装置。
【請求項２】
前記先端冶具へのバキュームホース先端部の取付けは、バキュームホースの軸を中心に相互に回転自在に取り付けられていることを特徴とする、請求項１に記載の空気吸引ノズルを用いたトラフ内の砂除去装置。
【請求項３】
前記ガイド隔壁は、その先端が前記下板の先端部まで伸びており、上端縁は前記上板の先端から下板の先端近くまで傾斜上縁を形成した形状となっていることを特徴とする、請求項１又は２に記載の空気吸引ノズルを用いたトラフ内の砂除去装置。
【請求項４】
空気吸引ノズルとして、電力ケーブルが１本又は複数本収納されたトラフの、前記電力ケーブルの上部のトラフの断面よりやや小さい断面を有する枠体から成る先端冶具を設け、当該先端冶具をバキュームホースの先端に取り付け、
当該先端冶具とバキュームホースの取付け箇所のバキュームホースの側面に押込みロッドの先端を固定し、
前記先端冶具は、略箱型で、前面が開口し、背面の左右に設けた吸引口から、後端が一つになった二股形状の管体が後方に突出し、当該後端の管体と前記バキュームホースの一端とが接続され、前記先端冶具の上板と下板は、下板の先端が上板の先端より前方に突出し、かつ、下板の先端が平面視山形の先端刃に形成され、
前記左右の吸引口の間に、先端冶具の内部を二つに分ける横向き略三角錐型のガイド隔壁が前後方向に設けられたことを特徴とする、空気吸引ノズルを用いたトラフ内の砂除去装置。
【請求項５】
前記先端冶具の背面から突出した二股状の管体と前記バキュームホースの一端との接続は、バキュームホースの軸を中心に相互に回転自在であることを特徴とする、請求項４に記載の空気吸引ノズルを用いたトラフ内の砂除去装置。
【請求項６】
前記ガイド隔壁は、その先端が前記下板の先端部まで伸びており、上端縁は前記上板の先端から下板の先端近くまで傾斜上縁を形成した形状となっていることを特徴とする、請求項４又は５に記載の空気吸引ノズルを用いたトラフ内の砂除去装置。
【請求項７】
前記請求項１〜６に記載のいずれかの砂除去装置を用いて、トラフの一端開口部から、電力ケーブルの上の砂に向けて、前記押込みロッドを用いて、先端冶具をトラフ内に押込み、
当該先端冶具の先端刃で砂を崩しつつガイド隔壁の両側から吸引口に砂を吸引して取り込み、当該吸引口に続くバキュームホースを通して砂を地上に搬送し、
当該押込みロッドの押し込み、引き戻しをトラフの一端から他端まで繰り返し、トラフ内の少なくとも電力ケーブルの上方の砂を除去することを特徴とする、空気吸引ノズルを用いたトラフ内の砂除去方法。
【発明の詳細な説明】
【技術分野】
【０００１】
この発明は、地中に埋設されたトラフ内に布設されている不要な電力ケーブルを撤去するに際し、トラフ内の前記電力ケーブルの周囲に充填されている砂を除去する除去装置及び当該装置を用いた除去方法に関するものである。
【背景技術】
【０００２】
従来、地中に埋設されたトラフ内に布設されている電力ケーブルの周囲には砂が充填されている。この状態で不要となった電力ケーブルを一方から引っ張って電力ケーブルを撤去するには多大な労力を有し、極めて困難である。
【０００３】
そこで、地中に埋設されたトラフに沿って、地表面を開削し、掘削溝内でトラフを露出させ、トラフ本体と同時に電力ケーブルを撤去していた。そして,撤去した後の掘削溝に土砂を埋め戻していた。
【０００４】
この工法ではトラフ上面の地上部をトラフに沿って開口、掘削しなければならず、掘削範囲が大きく、掘削土砂も多量となり、手間がかかると同時に、工期が長く、工事費が高くなっていた。
【０００５】
一方、特許文献１に示す様に、洞道内に布設されたトラフでは、トラフの上面の蓋を開け、当該トラフ内の砂をまず除去し、その後、電力ケーブルを当該トラフから撤去する工法も開発されている。
【０００６】
また、土中に埋設されたトラフの上の地上に建物や工作物がある場合には開削は不可能である。そのため、トラフの一定長の一端から他端までの電力ケーブルを切断し、当該電力ケーブルが埋設されているトラフ内の砂をまず抜き取り、その後当該トラフに入っている電力ケーブルを引き抜く工法が、特許文献２及び３に示す様に開発されている。
【先行技術文献】
【特許文献】
【０００７】
【特許文献１】特開２００７−２９１６９２号公報
【特許文献２】特開２００６−７４９３９号公報
【特許文献３】特開２００７−２７４８３９号公報
【発明の開示】
【発明が解決しようとする課題】
【０００８】
上記特許文献１は吸引によりトラフ内の砂を除去する装置であるが、洞道内のトラフに使用するものであり、トラフの蓋を開けて、トラフ内の砂を吸い出すものである。しかしながら、トラフの蓋を開けるのには手間がかかる。まして、土中に直接埋設されたトラフでは、この方式は、上述の様に、地表面から開削しなければならず、極めて手間のかかる等の欠点がある。
【０００９】
また、特許文献２のものは、トラフの一端から高圧水を噴射させ、充填砂を崩し、崩した砂を排気水とともにトラフの上記一端の立坑に流し、当該立坑に溜まった水に混ざった砂を吸引して地上に排出する工法であるが、この場合、多量の水を要し、また、トラフ内で高圧水を噴射させながら推進させるノズル装置と、立坑内の土砂を地上に排出する装置が必要である。
【００１０】
また、特許文献３のものは、トラフ内でまず水を砂内に噴出して、砂を流動化させ、当該流動化した砂をトラフ内で吸引して砂をトラフから除去する方法及び装置であるが、この方法及び装置ではトラフ内の砂に水を吹き付けて砂を流動化させ、その流動化した砂を吸引するため、特許文献２と同様に、トラフ内で高圧水を噴射させる装置と、立坑内の土砂を地上に排出する装置が必要である。
【００１１】
また、トラフの端部からバキュームホースで砂を吸い込む場合、トラフの中心部の砂が吸引されて、トラフの両側の砂が吸引されずに残り、吸引口に対向した砂の先端部が相互に締め固まってその先端部の形状がアーチ状になる、いわゆるアーチ効果が働き、砂が吸引できなくなる恐れがある。また、トラフ内の砂の付着力が高い場合、電力ケーブルと砂、トラフ内面と砂、それぞれの粘着力が高くなり、バキュームの吸い込み力では吸いきれない可能性がある。
【００１２】
そこで、この発明は上述の課題を解決するため、簡単な装置で、トラフ内に充填された砂を確実に抜き取り、除去できるトラフ内の砂除去装置及び当該装置を用いた砂除去方法を提供することを目的としたものである。
【課題を解決するための手段】
【００１３】
請求項１の発明は、空気吸引ノズルとして、電力ケーブルが１本又は複数本収納されたトラフの、前記電力ケーブルの上部のトラフの断面よりやや小さい断面を有する枠体から成る先端冶具を設け、当該先端冶具をバキュームホースの先端に取り付け、当該先端冶具とバキュームホースの取付け箇所のバキュームホースの側面に押込みロッドの先端を固定し、前記先端冶具は、略箱型で、前面が開口し、背面に設けた吸引口が前記バキュームホースの一端と連結され、上板の先端より下板の先端が前方に突出し、かつ、下板の先端が平面視山形の先端刃に形成され、前記吸引口のほぼ真ん中で、先端冶具の内部を二つに分けるガイド隔壁が前後方向に設けられた、空気吸引ノズルを用いたトラフ内の砂除去装置とした。
【００１４】
また、請求項２の発明は、前記先端冶具へのバキュームホース先端部の取付けは、バキュームホースの軸を中心に相互に回転自在に取り付けられている、請求項１に記載の空気吸引ノズルを用いたトラフ内の砂除去装置とした。
【００１５】
また、請求項３の発明は、前記ガイド隔壁は、その先端が前記下板の先端部まで伸びており、上端縁は前記上板の先端から下板の先端近くまで傾斜上縁を形成した形状となっている、請求項１又は２に記載の空気吸引ノズルを用いたトラフ内の砂除去装置とした。
【００１６】
また、請求項４の発明は、空気吸引ノズルとして、電力ケーブルが１本又は複数本収納されたトラフの、前記電力ケーブルの上部のトラフの縦断面よりやや小さい断面を有する枠体から成る先端冶具を設け、当該先端冶具をバキュームホースの先端に取り付け、当該先端冶具とバキュームホースの取付け箇所のバキュームホースの側面に押込みロッドの先端を固定し、前記先端冶具は、略箱型で、前面が開口し、背面の左右に設けた吸引口から、後端が一つになった二股形状の管体が後方に突出し、当該後端の管体と前記バキュームホースの一端とが接続され、前記先端冶具の上板と下板は、下板の先端が上板の先端より前方に突出し、かつ、下板の先端が平面視山形の先端刃に形成され、前記左右の吸引口の間に、先端冶具の内部を二つに分ける横向き略三角錐型のガイド隔壁が前後方向に設けられた、空気吸引ノズルを用いたトラフ内の砂除去装置とした。
【００１７】
また、請求項５の発明は、前記先端冶具の背面から突出した二股状の管体と前記バキュームホースの一端との接続は、バキュームホースの軸を中心に相互に回転自在である、請求項４に記載の空気吸引ノズルを用いたトラフ内の砂除去装置とした。
【００１８】
また、請求項６の発明は、前記ガイド隔壁は、その先端が前記下板の先端部まで伸びており、上端縁は前記上板の先端から下板の先端近くまで傾斜上縁を形成した形状となっている、請求項４又は５に記載の空気吸引ノズルを用いたトラフ内の砂除去装置とした
【００１９】
また、請求項７の発明は、前記請求項１〜６に記載のいずれかの砂除去装置を用いて、トラフの一端開口部から、電力ケーブルの上の砂に向けて、前記押込みロッドを用いて、先端冶具をトラフ内に押込み、当該先端冶具の先端刃で砂を崩しつつガイド隔壁の両側から吸引口に砂を吸引して取り込み、当該吸引口に続くバキュームホースを通して砂を地上に搬送し、当該押込みロッドによる先端冶具の押し込み、引き戻しをトラフの一端から他端まで繰り返し、トラフ内の少なくとも電力ケーブルの上方の砂を除去する、空気吸引ノズルを用いたトラフ内の砂除去方法とした。
【発明の効果】
【００２０】
請求項１及び４の発明によれば、枠体から成る先端冶具の縦断面がトラフの電力ケーブルの上方の断面に近い縦断面を有するため、少なくとも電力ケーブルの上方のトラフ内の砂を吸引することが出来る。また、トラフ内は砂が固まっており吸引しにくい場合があるが、前記先端冶具の下板先端には先端刃が形成されているため、押込みロッドで先端冶具をトラフ内に押し込むと、前記先端刃が砂内に入り込み、砂を崩して進む。また、前記先端冶具は下板と上板及び左右側板から成り、下板で崩された砂は上板と下板の間、即ち、ガイド隔壁で二分された各中空部内に入り、そこで、吸引口に吸引され、バキュームホース内に搬送される。
【００２１】
そして、当該先端冶具は上下を逆にして押し込むこともできる。即ち、下板を上に、上板を下にして、下板の先端刃をトラフの天板内側に沿って押し込むこともできる。その場合、トラフの天井にこびりついた砂を崩すことが出来る。また、先端冶具の前後方向にガイド隔壁を設け、中空部を二分しているため、砂はトラフの左右の両側から吸引される。従って、トラフ内の砂の内、中央部の砂が吸引され、両側の砂が残る、いわゆるアーチ現象が生じない。従って、トラフ内の両側の砂を確実に除去することが出来る。
【００２２】
また、請求項２及び５の発明によれば、前記先端冶具へのバキュームホース先端部の取付けが、バキュームホースの軸を中心に相互に回転自在に取り付けられているため、バキュームホースに湾曲癖が付いている場合でも、先端冶具はトラフ内で定位置を常時保持できる。
【００２３】
また、特に、請求項３及び６の発明によれば、前記ガイド隔壁が、その先端が前記下板の先端部まで伸びており、上端縁は前記上板の先端から下板の先端近くまで傾斜上縁を形成した形状となっているため、砂は当該ガイド隔壁の傾斜上縁にガイドされて左右それぞれの中空部に分かれて入り込み、先端冶具の背面の吸引口で吸引されるため、砂は前記先端刃と相俟って、ガイド壁の傾斜上縁とによって崩れやすく、かつ、先端冶具を強固にしている。
【００２４】
また、請求項７の発明によれば、トラフの一端から押込みロッドを介して、押込みロッドの先端に設けた先端冶具の先端刃を砂に押し込むため、砂が崩れやすい。これにより崩れた砂を先端冶具の上板、下板及び左右の側板で囲まれた中空部に導入し、当該中空部で砂を吸引するため、砂の吸引が確実となる。また、この押込みロッドをトラフ内に押し込み、引き戻しの作業をトラフの一端から他端まで繰り返すことにより、トラフ内の砂、特に電力ケーブル上方のトラフ内の砂は確実に除去される。
【図面の簡単な説明】
【００２５】
【図１】この発明の実施の形態例１の空気吸引ノズルを用いたトラフ内の砂除去装置の概略構成図である。
【図２】この発明の実施の形態例１の空気吸引ノズルを用いたトラフ内の砂除去装置の先端冶具の平面図である。
【図３】この発明の実施の形態例１の空気吸引ノズルを用いたトラフ内の砂除去装置の先端冶具の側面図である。
【図４】この発明の実施の形態例１の空気吸引ノズルを用いたトラフ内の砂除去装置の先端冶具の正面図である。
【図５】この発明の実施の形態例１の空気吸引ノズルを用いたトラフ内の砂除去装置の先端冶具の背面図である。
【図６】この発明の実施の形態例１の空気吸引ノズルを用いたトラフ内の砂除去装置の先端冶具の横断面図である。
【図７】この発明の実施の形態例１の空気吸引ノズルを用いたトラフ内の砂除去装置を用いるトラフの縦断面図である。
【図８】この発明の実施の形態例１の空気吸引ノズルを用いたトラフ内の砂除去装置をトラフの端部に押し込んだ状態のトラフの端面図である。
【図９】この発明の実施の形態例１の空気吸引ノズルを用いたトラフ内の砂除去装置の先端冶具を砂に押し込んだ状態のトラフの縦断面図である。
【図１０】この発明の実施の形態例１の空気吸引ノズルを用いたトラフ内の砂除去装置の先端冶具を砂にさらに押し込んだ状態のトラフの縦断面図である。
【図１１】この発明の実施の形態例１の空気吸引ノズルを用いたトラフ内の砂除去装置の先端冶具を上下逆にして砂に押し込んだ状態のトラフの縦断面図である。
【図１２】この発明の実施の形態例２の空気吸引ノズルを用いたトラフ内の砂除去装置の概略構成図である。
【図１３】この発明の実施の形態例２の空気吸引ノズルを用いたトラフ内の砂除去装置の先端冶具の平面図である。
【図１４】この発明の実施の形態例２の空気吸引ノズルを用いたトラフ内の砂除去装置の先端冶具の側面図である。
【図１５】この発明の実施の形態例２の空気吸引ノズルを用いたトラフ内の砂除去装置の先端冶具の正面図である。
【図１６】この発明の実施の形態例２の空気吸引ノズルを用いたトラフ内の砂除去装置の先端冶具の背面図である。
【図１７】この発明の実施の形態例２の空気吸引ノズルを用いたトラフ内の砂除去装置の先端冶具の横断面図である。
【発明を実施するための形態】
【００２６】
（実施の形態例１）
まず、この発明の実施の形態例１の空気吸引ノズルを用いたトラフ内の砂除去装置Ａを図１〜図６に基づいて説明する。
【００２７】
砂除去装置Ａは、図１に示すように、先端冶具１の後方に、バキュームホース２の先端が取り付けられている。また、先端冶具１とバキュームホース２との取付け箇所の側面に押込みロッド３の先端が回転自在に取り付けられている。前記バキュームホース２の後端は、地上に設置したバキューム装置（図示省略）に接続されている。
【００２８】
前記先端冶具１とバキュームホース２の取付けは、先端冶具１の背面から突出した管体４に、バキュームホース２の先端に設けた外管体５が被冠し、相互に軸を中心に回転自在に接続されている。また、前記押込みロッド３の先端は、前記外管体５の側面に設けた軸６に軸支されている。
【００２９】
前記先端冶具１は下板１ａ、上板１ｂ、左右の側板１ｃ及び背板１ｄからなる、前方が開放された扁平な箱型を成している。そして、この先端冶具１の縦断面は、後述するトラフ１０内に収納された２条の電力ケーブル１２の上部のトラフ１０の断面より高さ、幅がやや小さい形状となっている（図８参照）。前記背板１ｄの中央には吸引口７が設けられ、前記管体４はその一端が当該吸引口７の外周縁に当接、固定されている。
【００３０】
また、前記上板１ｂの先端より下板１ａの先端が前方に突出し、かつ、下板１ａの先端が平面視山形の先端刃８が形成されている。また、前記吸引口７のほぼ真ん中の位置で、先端冶具１の内部を二つに分けるガイド隔壁９が前後方向に設けられている。また、このガイド隔壁９は、その先端が前記下板１ａの先端部まで伸びており、その上端縁は前記上板１ｂの先端から下板１ａの先端近くまで傾斜上縁９ａを形成している。
【００３１】
従って、前記地上のバキューム装置が作動してバキュームホース２内の空気吸引により、図６に示す矢印のように、砂は先端冶具１の先端刃８の方向から先端冶具１内に入るが、ガイド隔壁９があるため、砂は二分され、下板１ａ、上板１ｂ、側板１ｃ及び背板１ｄに囲まれた中空部に入り、吸引口７からバキュームホース２内に入る。
【００３２】
次に、この発明の実施の形態例１の砂除去装置Ａを用いた砂除去方法について図７〜図１１に基づいて説明する。
【００３３】
まず、一定長のトラフ１０の両端に立坑１１を設け、当該各立坑１１内で、電力ケーブル１２を切断する。前記一定長のトラフ１０の両端にマンホールがある場合は各マンホールを利用し、立坑１１を設ける必要はない。また、トラフ１０内には砂１３が充填されている。
【００３４】
このトラフ１０において、一方の立坑１１から前記砂除去装置Ａを、図８に示す様に、トラフ１０内に入れる。このトラフ１０の下部には２本の電力ケーブル１２、１２が配設されているため、これらの電力ケーブル１２の上の砂１３に先端冶具１の先端刃８を、図９に示す様に、押込みロッド３を用いて押し込む。なお、トラフ１０内に電力ケーブル１２が１本収納されている場合があるが、その場合も電力ケーブル１２の上の砂１３に先端冶具１を押し込む。
【００３５】
これにより、先端刃８によって砂が崩れ、崩れた砂が先端冶具１の下板１ａ上に落ちる。そして、図１０に示す様に、さらに押込みロッド３により先端冶具１を押し込むと、上下左右及び背面を上板１ｂ、下板１ａ、左右の側板１ｃ及び背板１ｄに囲まれた中空部内のガイド隔壁９により二分された各中空部に砂が入いり、吸引口７からバキュームホース２内に吸引され、当該バキュームホース２を通り、地上に排出される（図示省略）。
【００３６】
そして、砂の吸引が少なくなったら、押込みロッド３により、先端冶具１を一旦、トラフ１０の手前に引き戻し、再び前方に向けて先端冶具１を押し、砂１３に前記先端刃８を押し込む。これにより、砂１３が崩れ、下板１ａの上及び中空部内に砂１３が移動し、吸引口７から吸引する。
【００３７】
また、トラフ１０内の、天板下面に砂１３がこびりついて剥がれない場合は、図１１に示す様に、先端冶具１の上下を逆にしてトラフ１０内に入れて、下板１ａの先端刃８をトラフ１０の天板下面近くの砂１３に食い込ませ、砂を削りとり、崩すこともできる。
【００３８】
この様にして、押込みロッド３により先端冶具１の押し込み、引き抜きを繰り返して、先端冶具１をトラフ１０の奥まで入れ、トラフ１０内の電力ケーブル１２の上の砂１３を取り除く。その際、先端冶具１がトラフ１０内を進み、押込みロッド３が砂１３の先端に届かなくならないように、押込みロッド３は予め複数用意され、押込みロッド３の後端部に順次接続できる構成となっている。また、当該押込みロッド３による先端冶具１の押込みは作業者の人力の場合、機械等の動力により押し込む場合等がある。
【００３９】
この様にして、トラフ１０内の砂１３、又は、少なくとも電力ケーブル１２の上の砂１３を取り除く。これにより、電力ケーブル１２を一方の立坑１１から容易に引き剥くことが出来る。
【００４０】
（実施の形態例２）
次に、この発明の実施の形態例２の空気吸引ノズルを用いたトラフ内の砂除去装置Ｂを図１２〜図１７に基づいて説明する
【００４１】
砂除去装置Ｂは、図１２に示すように、先端冶具１５の後方に、バキュームホース１６の先端が取り付けられている。また、先端冶具１５とバキュームホース１６との取付け箇所の側面に押込みロッド１７の先端が回転自在に取り付けられている。前記バキュームホース１６の後端は、地上に設置したバキューム装置（図示省略）に接続されている
【００４２】
前記先端冶具１５とバキュームホース１６の取付けは、先端冶具１５の背面から突出した二股形状の管体で後端が一つになった、二股形状の管体１８に、前記バキュームホース１６の先端に設けた外管体１９が被冠し、相互に軸を中心に回転自在に接続されている。また、前記押込みロッド１７の先端は、前記外管体１９の側面に設けた軸２０に軸支されている。
【００４３】
前記先端冶具１５は下板１５ａ、上板１５ｂ、左右の側板１５ｃ及び背板１５ｄからなる、前方が開放された扁平な箱型を成している。そして、この先端冶具１５の縦断面は、前記砂除去装置Ａの先端冶具１と同様に、前記トラフ１０内に収納された２条の電力ケーブル１２の上部のトラフ１０の断面より高さ、幅がやや小さい形状となっている。前記背板１５ｄの左右には吸引口２１が夫々設けられ、前記二股形状の管体１８の二股形状の分岐管の各一端が当該各吸引口２１の外周縁に当接、固定されている。
【００４４】
また、前記上板１５ｂの先端より下板１５ａの先端が前方に突出し、かつ、下板１５ａの先端が平面視山形の先端刃２２が形成されている。また、前記左右の吸引口２１、２１の間に、先端冶具１の内部を二つに分ける三角錐を横にした形状のガイド隔壁２３が前後方向に設けられている。また、このガイド隔壁２３は、その先端が前記下板１５ａの先端部まで伸びており、その上端縁は前記上板１５ｂの先端から下板１５ａの先端近くまで傾斜上縁２３ａを形成している。
【００４５】
従って、前記バキューム装置が作動してバキュームホース１６内の空気吸引により、図１７に示す矢印のように、砂は先端冶具１５の先端刃２２の方向から先端冶具１５内に入るが、ガイド隔壁２３があるため、砂は二分され、下板１５ａ、上板１５ｂ、側板１５ｃ及び背板１５ｄに囲まれた中空部に入り、吸引口２１からバキュームホース１６内に入る。
【００４６】
この実施の形態例２の砂除去装置Ｂの使用方法は、前記実施の形態例１の砂除去装置Ａと同様であるので、説明を省略する。
【００４７】
以上の実施の形態例１及び２の砂除去装置Ａ、Ｂを用いてトラフ１０内の砂１３を取り除く方法によれば、先端冶具１又は１５の断面が、トラフ１０の左右の断面幅よりやや小さい幅を有し、かつ、電力ケーブルの上のトラフ断面の高さに近い高さを有し、かつ先端冶具１又は１５に先端刃８又は２２及びガイド隔壁９又は２３を有するため、先端冶具１又は１５を砂１３に押し込みやすく、砂１３が崩れやすい。従って、吸引により砂１３を容易に吸い取り、除去しやすい。
【００４８】
さらに、先端冶具１又は１５の前方に対して左右両側から砂１３を吸引するため、トラフ１０のケーブル１２の上方の砂１３を確実に除去でき、従来の様に砂の先端の相互の締付けによるアーチ現象が生ぜず、トラフ内の砂１３を確実に除去できる。
【符号の説明】
【００４９】
Ａ      砂除去装置
Ｂ      砂除去装置
１      先端冶具                  １ａ    下板
１ｂ    上板                      １ｃ    側板
１ｄ    背板                      ２      バキュームホース
３      押込みロッド              ４      管体
５      外管体                    ６      軸
７      吸引口                    ８      先端刃
９      ガイド隔壁                ９ａ    傾斜上縁
１０    トラフ                    １１    立坑      
１２    電力ケーブル              １３    砂          
１５    先端冶具                  １５ａ  下板
１５ｂ  上板                      １５ｃ  側板
１５ｄ  背板                      １６    バキュームホース
１７    押込みロッド              １８    二股形状の管体
１９    外管体                    ２０    軸
２１    吸引口                    ２２    先端刃
２３    ガイド隔壁                ２３ａ  傾斜上縁
【図１】
2020022227.tif 000003
【図２】
2020022227.tif 000004
【図３】
2020022227.tif 000005
【図４】
2020022227.tif 000006
【図５】
2020022227.tif 000007
【図６】
2020022227.tif 000008
【図７】
2020022227.tif 000009
【図８】
2020022227.tif 000010
【図９】
2020022227.tif 000011
【図１０】
2020022227.tif 000012
【図１１】
2020022227.tif 000013
【図１２】
2020022227.tif 000014
【図１３】
2020022227.tif 000015
【図１４】
2020022227.tif 000016
【図１５】
2020022227.tif 000017
【図１６】
2020022227.tif 000018
【図１７】
2020022227.tif 000019
【手続補正書】
【提出日】平成30年8月6日(2018.8.6)
【手続補正１】
【補正対象書類名】図面
【補正対象項目名】全図
【補正方法】変更
【補正の内容】
【図１】
2020022227.tif 000020
【図２】
2020022227.tif 000021
【図３】
2020022227.tif 000022
【図４】
2020022227.tif 000023
【図５】
2020022227.tif 000024
【図６】
2020022227.tif 000025
【図７】
2020022227.tif 000026
【図８】
2020022227.tif 000027
【図９】
2020022227.tif 000028
【図１０】
2020022227.tif 000029
【図１１】
2020022227.tif 000030
【図１２】
2020022227.tif 000031
【図１３】
2020022227.tif 000032
【図１４】
2020022227.tif 000033
【図１５】
2020022227.tif 000034
【図１６】
2020022227.tif 000035
【図１７】
2020022227.tif 000036